(57)【要約】      （修正有）【課題】断層画像撮像装置及び撮像データを高精度で調整することを可能とする脳模型を提供する。【解決手段】頭蓋骨を模した形状のケース１０と、ケース１０内に１９枚のスライス部材７が収容されている。スライス部材７は部材が存在しない空洞と、部材が存在する部材部分とを有する。ここで空洞は、標準的な脳の灰白質部分に相当し、部材部分は、同じく標準的な脳の白質部分または脳室部分に相当する。各スライス部材７は、ケース１０内における高さ方向の収容位置が定まっている。従って、各スライス部材７は、それぞれの高さ方向の位置における白質及び灰白質の分布に応じて、空洞及び部材部分が分布するように構成されている。【選択図】図４
2010092068.tif 000002
【特許請求の範囲】
【請求項１】
頭蓋骨を模した形状のケースと、
前記ケース内に収容されていて、灰白質に相当する領域に空洞が設けられているケース内部材とを備える脳模型。
【請求項２】
前記ケースには、液体注入口が設けられていて、
前記液体注入口を閉じることで前記ケースを密閉可能であり、
前記液体注入口から前記ケース内に液体が注入されると、前記空洞領域が注入された液体で満たされるようになっていることを特徴とする請求項１記載の脳模型。
【請求項３】
前記空洞は、左右対称であることを特徴とする請求項１記載の脳模型。
【請求項４】
前記ケース内部材は、複数のスライス部材が積層された構造になっていて、
前記複数のスライス部材のそれぞれは、収容されている前記ケース内の位置における灰白室に相当する領域が空洞になっていることを特徴とする請求項１記載の脳模型。
【請求項５】
前記ケース内には、少なくとも、大脳及び小脳に相当する領域が含まれていることを特徴とする請求項１記載の脳模型。
【請求項６】
前記ケース及び前記ケース内部材は、透明または半透明であることを特徴とする請求項１記載の脳模型。
【請求項７】
前記空洞の領域は、小児完全正常者の脳に基づいて定められていることを特徴とする請求項１記載の脳模型。
【請求項８】
前記空洞の領域は、複数の部分領域に分割されていて、
前記ケースには、各部分領域ごとに液体注入口が設けられていることを特徴とする請求項２記載の脳模型。
【請求項９】
前記空洞の領域は、大脳領域に対応する部分領域と、小脳領域に対応する部分領域とに分割されていることを特徴とする請求項８記載の脳模型。
【請求項１０】
前記ケースの一部分が着脱可能である請求項１記載の脳模型。
【発明の詳細な説明】
【技術分野】
【０００１】
本発明は、ヒトの脳模型に関し、特に医用画像装置の撮像に適用される各種実験用人体ファントムに関する。
【背景技術】
【０００２】
従来、ＣＴ（Computed Tomography），ＭＲＩ（Magnetic Resonance Imaging），ＳＰＥＣＴ（Single Photon Emission Computed Tomography）、ＰＥＴ（Positron Emission Tomography）などのヒトの断層画像撮像装置のテスト、及び撮像画像に基づく装置の調整（キャリブレーション）、あるいは、撮影した画像データの補正は、既知の対象物を撮像して得られた画像に基づいて行われている。この場合の撮像対象として、従来からよく用いられているのが図９及び図１０に示すような脳模型（米国データスペクトラム社製のホフマン３Ｄ脳ファントム）である。
【０００３】
従来の脳模型は、図９及び図１０に示すように、円柱形状の容器１１０に、空洞１２３を有する脳短軸断面スライス部材１２０、１２０，・・・を重ねて組み立てた構成を有している。そして、円柱形状の容器１１０に所定の液体を注入し、空洞１２３が液体で満たされた状態で撮像が行われる。このとき、液体部分から返ってくる信号とスライス部材の部分から返ってくる信号との違いに基づいて断層画像が得られる。
【発明の概要】
【発明が解決しようとする課題】
【０００４】
ここで、従来の脳模型で使用されているスライス部材１２０は、脳領域１２１の外側に脳外領域１２５を有している。従って、脳領域１２１内の空洞１２３に満たされた液体からの信号が、脳外領域１２５を構成する部材により劣化してしまうというような問題がある。
【０００５】
また、従来の脳模型は西洋人の成人の脳を基に作成された脳模型であり、日本人被検者、あるいは小児被検者を撮像した画像に対して調整を行う場合には、従来の脳模型は必ずしも好ましくなかった。
【０００６】
また、頭蓋骨の存在は脳核医学検査において、放射線の減衰や吸収を引き起こすが、従来の脳模型には頭蓋骨に相当する部材は附属されていない。そのため、実際の検査における吸収補正などの調整を行うことができず好ましくない。
【０００７】
そこで、本発明の目的は、断層画像撮像装置、またはこの撮像装置で撮像した画像データを高精度で調整することを可能とする脳模型を提供することである。
【０００８】
本発明の別の目的は、日本人被験者の断層画像を、高精度で撮像することを可能にするための脳模型を提供することである。
【０００９】
本発明のさらに別の目的は、小児被験者の断層画像を、高精度で撮像することを可能にするための脳模型を提供することである。
【課題を解決するための手段】
【００１０】
本発明の一実施態様に従う脳模型は、頭蓋骨を模した形状のケースと、前記ケース内に収容されていて、灰白質に相当する領域に空洞が設けられているケース内部材とを備える。
【００１１】
好適な実施形態では、前記ケースには、液体注入口が設けられていて、前記液体注入口を閉じることで前記ケースを密閉可能である。そして、前記液体注入口から前記ケース内に液体が注入されると、前記空洞部分が注入された液体で満たされるようになっていてもよい。
【００１２】
好適な実施形態では、前記空洞は、左右対称であってもよい。これにより、断層画像撮像装置でこの脳模型を撮像して得られた画像が左右対称となるので、断層画像撮像装置の調整が容易である。
【００１３】
好適な実施形態では、前記ケース内部材は、複数のスライス部材が積層された構造になっていて、前記複数のスライス部材のそれぞれは、収容されている前記ケース内の位置における灰白室に相当する領域が空洞になっていてもよい。灰白室に相当する領域が空洞になった複数のスライス部材を積み重ねてケースに収容すればよいでの、脳模型の製造が容易である。
【００１４】
好適な実施形態では、前記ケース内には、少なくとも、大脳及び小脳に相当する領域が含まれていてもよい。これにより、断層画像撮像装置でこの脳模型を撮像して得られた画像の大脳部分と小脳部分を対比しながら調整できるので、断層画像撮像データの調整の精度を上げることができる。
【００１５】
好適な実施形態では、前記ケース及び前記ケース内部材は、透明または半透明であってもよい。これにより、ケース内に液体を注入したときに、ケース内に気泡が残っているか否かを確認できる。
【００１６】
好適な実施形態では、前記空洞の領域は、小児完全正常者の脳に基づいて定められていてもよい。
【００１７】
好適な実施形態では、前記空洞の領域は、複数の部分領域に分割されていて、前記ケースには、各部分領域ごとに液体注入口が設けられていてもよい。これにより、各部分領域に濃度の異なった造影剤を注入できるため、この脳模型がより実際の脳に近い状態となる。そして、断層画像撮像装置でこの脳模型を撮像して得られた画像が、画像解析におけるテンプレートとしてより好適である。
【００１８】
さらに好適な実施形態では、前記空洞は、大脳領域に対応する部分領域と、小脳領域に対応する部分領域とに分割されていてもよい。
【００１９】
好適な実施形態では、前記ケースの一部分が着脱可能であってもよい。これにより、頭蓋骨の一部を切除するような手術を受けた後の状態をシミュレートすることが可能となる。
【図面の簡単な説明】
【００２０】
【図１】脳模型１の正面図である。
【図２】脳模型１の平面図である。
【図３】脳模型１の側面図である。
【図４】脳模型１のＡ−Ａ断面図である。
【図５】第３スライス部材７０３の平面図である。
【図６】第２の実施形態に係る脳模型を示す。
【図７】第３の実施形態に係る脳模型の正面図である。
【図８】第３の実施形態に係る脳模型の平面図である。
【図９】従来の脳模型を示す。
【図１０】従来の脳模型を示す。
【発明を実施するための形態】
【００２１】
以下、本発明の一実施形態に係る脳模型について、図面を参照して説明する。まず、本実施形態に係る脳模型１の外観を、図１〜図３を用いて説明する。
【００２２】
図１は、脳模型１の正面図である。
【００２３】
本実施形態に係る脳模型は、人間の頭蓋骨に相当するケース１０を有する。ケース１０の正面（顔に相当する側）には、鼻を模した突起１１が設けられている。本実施形態では、ケース１０は、不透明な石膏で構成されたケース側面部１３と、透明なアクリル板で構成されたケース頭頂部１５とからなる。なお、本実施形態にようにケース１０の一部を透明または半透明としてもよいし、側面部１３も透明なアクリル板で構成して、ケース１０全体を透明または半透明としてもよい。
【００２４】
図２は脳模型１の頭頂部から見た平面図であり、図３は脳模型１の側面図である。
【００２５】
脳模型１は、頭頂部１５に液体注入口２、２を有する。液体注入口２，２を二つ設けたのは、一方から液体を注入したときに、他方から空気が抜けるようにするためである。従って、二つの液体注入口２、２は、それぞれ大きさを異なるようにしてもよい。
【００２６】
液体注入口２，２には、図３に示すように、栓３，３をすることができる（図１，２では栓を省略）。例えば栓３，３に雄ネジ、液体注入口２，２に雌ネジを切り、両者が螺合するようにしてもよい。
【００２７】
図４は、脳模型１のＡ−Ａ断面図を示す。
【００２８】
同図に示すように、ケース１０内部には、透明または半透明のアクリル製の複数のスライス部材７が積層された状態で収容されている。本実施形態では、ケース１０内に１９枚のスライス部材７が収容され、頭頂部側から第１スライス、第２スライス、第３スライス、・・・とスライスＮｏが割り当てられていて、最も下が第１９スライスとなる。各スライス部材７は、例えば、１ｍｍ〜５ｍｍ程度の厚さでよい。
【００２９】
また、同図に示すように、本実施形態の脳模型１は、少なくとも、大脳領域２１及び小脳領域２２を包含している。さらに、視床に相当する領域が含まれていてもよい。
【００３０】
ここで、ケース１０及びスライス部材７の材質は、上述したもの以外でもよい。例えば、ＣＴ用及びＭＲＩ用には電磁波を遮蔽しない部材、ＳＰＥＣＴ及びＰＥＴ用にはγ線を遮蔽しない部材であればよい。また、ケース１０及びスライス部材７が透明または半透明であれば、ケース１０内部に液体を注入したときに、内部に気泡が残っているか否かを確認しやすい。また、ケース１０の部材は、モデルとなる人の実際の頭蓋骨密度と実質的に同じ密度を有する人工骨部材でもよい。
【００３１】
図５は、スライス部材７の一例として、頭頂部から３つ目の第３スライス部材７０３の平面図を示す。
【００３２】
第３スライス部材７０３は、同図に示すように、部材が存在しない空洞７１と、部材が存在する部材部分７２とを有する。ここで、空洞７１は、標準的な脳の灰白質部分に相当し、部材部分７２は、同じく標準的な脳の白質部分または脳室部分に相当する。これは、第３スライス部材７０３以外の他のスライス部材７であっても同様に、灰白質部分が空洞になっている。なお、破線７３は、上段のスライス部材（すなわち、第２スライス部材）の輪郭を示す。
【００３３】
ここで、各スライス部材７は、それぞれのスライスＮｏに応じて、ケース１０内における高さ方向の収容位置が定まっている。従って、各スライス部材７は、それぞれの高さ方向の位置における白質及び灰白質の分布に応じて、空洞７１及び部材部分７２が分布するように構成されている。
【００３４】
さらに、各スライス部材７は、ケース１０内で、隣り合うスライス部材７との間に隙間が生じないように、密着した状態で積み重ねられている。また、各スライス部材７とケース１０内面との間の隙間もアクリル、石膏など所定の部材で埋めてある。そして、各スライス部材７が有する空洞７１は、互いに連通するようになっている。さらに、各スライス部材の空洞７１が連通して形成された空間である全体空洞は、液体注入口２、２とも連通している。従って、液体注入口２，２から液体が注入されると、ケース１０内のケース内部材の全体空洞、つまり脳内の灰白質に相当する領域が液体で満たされるようになる。
【００３５】
なお、本実施形態では、ケース１０内に形成される全体空洞は、スライス部材を積み重ねて形成しているが、このように構成することは、必ずしも必須ではない。
【００３６】
また、第２の実施形態として、ケース１０内の全体空洞は、複数に分割されていてもよい。つまり、各スライス部材７の空洞７１がすべて一つに連通するのではなく、一部の空洞７１が連通して部分空洞を形成し、部分空洞同士は互いに独立としてもよい。どのような単位に部分空洞を構成するかは任意である。
【００３７】
例えば、図６に示すように、大脳領域の空洞７５と小脳領域の空洞７６とをそれぞれ独立に構成してもよい。これは、小児の脳では成人と比較して小脳部分の脳血流量が多いことが知られているので、大脳と小脳とで濃度の異なる造影剤をそれぞれの部分空洞に注入することで実際の小児脳により近づけることができるからである。
【００３８】
このとき、同図に示すように、それぞれの空洞７５，７６に液体を注入するための液体注入口２および栓３を、それぞれ別々に設ける。液体注入口２および栓３を設ける位置は、任意の位置でよい。例えば、ケース１０の上面でもよいし、側面ないしは底面でもよい。また、一つの空洞について２つ設けられている液体注入口２のうち、一方を上方に設け、他方を下方に設けてもよい。
【００３９】
上述した実施形態に係る脳模型１において、全体空洞または部分空洞となる領域を決定するための標準脳としては、あらゆるタイプの脳を採用することができる。例えば、様々な人種（倭人、西洋人など）の標準脳でもよいし、小児、成人または老人の標準脳であってもよい。
【００４０】
さらに、第３の実施形態として、ケース１０の一部が取り外し可能であっても良い。例えば、第３の実施形態は、図７及び図８に示すように、ケース１０が、少なくとも一つ以上の着脱可能なピース５２、５２，・・・を備えている。そして、いずれかのピース５２、５２，・・・を取り除いた状態で、内部に液体を注入して使用することができる。
【００４１】
上述した実施形態に係る脳模型は、例えば、以下のようにしてＣＴ，ＭＲＩ，ＳＰＥＣＴ、ＰＥＴなどの断層画像の撮像装置の調整に用いることができる。
【００４２】
まず、撮像を行う前に、それぞれ撮像装置に応じた所定の液体試薬を液体注入口２，２からケース１０内へ注入する。このとき、ケース１０内に気泡が残らないようにすることが好ましい。そして、ケース１０内の空洞全体が液体試薬で満たされた状態のときに、本実施形態に係る脳模型を撮像対象として撮像を行う。
【００４３】
従来の脳模型は、上述のように脳外の領域に模型を構成する部材が存在するが、本実施形態の脳模型１では、頭蓋骨に相当するケース１０を備えているので、それが存在しない。この結果、脳外領域の部材による影響を完全に排除した調整用画像を撮像できる。この結果、高精度の補正が可能となる。
【００４４】
また、実際の撮像画像において、大脳の血流変化を定量化する場合は小脳の血流と対比して行われる。従って、小脳部分の画像と大脳部分の画像との相対関係を正確に調整することは重要である。本実施形態の脳模型１は、大脳領域及び小脳領域を含んでいるので、調整用画像には双方の領域が含まれる。この結果、この調整用画像を用いることにより、小脳部分の画像と大脳部分の画像とを対比させて、正確に調整することができる。
【００４５】
さらに、上記実施形態の脳模型は、全体空洞が左右対称の構造になっているので、調整用画像を用いて調整するときに、左右対称に調整を行えばよいので、調整が容易である。
【００４６】
また、第３の実施形態の脳模型は、特に以下のような場合に有効である。すなわち、小児では頭蓋骨縫合線の早期癒合により、頭蓋内圧が亢進し、そのための神経症状などが出現する症例が知られている。そのような、症例に対して脳内の減圧を目的として、部分的に頭蓋骨を切除する頭蓋骨形成術が施行される。この頭蓋骨形成の術前、及び術後には、脳血流ＳＰＥＣＴ検査が行われる。第３の実施形態に係る脳模型では、ピース５２を一つ取り除くことにより、この頭蓋骨形成術後の状態と対応する状態を作り出すことができる。従って、この脳模型で術後の頭蓋骨の欠損の状態をシミュレーションすることができ、ＳＰＥＣＴ撮像装置でこの状態の脳模型を撮像したデータを用いて、頭蓋骨の欠損影響を除去するために必要な補正をすることができる。
【００４７】
さらに、成人では正常ボランティアを募ることにより、正常データベースを作製することが可能であり、現在行われている。しかし、放射能被曝を伴う画像検査に正常な小児ボランティアを募ることは倫理的にできない。本実施形態の脳模型１をもちいて、全国の核医学検査を施行する施設において、小児標準脳としてファントム実験を施行することで、これまで困難であった各施設間でのデータの調整を行うことが可能となり、各施設の希少な小児データの互換性が得られデータ比較が飛躍的に容易となる。ひいては小児医療に多大に貢献することができる。
【００４８】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００４９】
１    脳模型
２    液体注入口
３，３  栓
７    スライス部材
１０  ケース
１３  ケース側面部
１５  ケース頭頂部
２１  大脳領域
２２  小脳領域
７１  空洞
７２  部材部分
【図１】
2010092068.tif 000003
【図２】
2010092068.tif 000004
【図３】
2010092068.tif 000005
【図４】
2010092068.tif 000006
【図５】
2010092068.tif 000007
【図６】
2010092068.tif 000008
【図７】
2010092068.tif 000009
【図８】
2010092068.tif 000010
【図９】
2010092068.tif 000011
【図１０】
2010092068.tif 000012
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
ケースと、
前記ケースに設けられた液体注入口と、
前記ケース内に収容されていて、灰白質に相当する領域に空洞が設けられていて、
前記液体注入口から前記ケース内に液体が注入されると、前記空洞領域が注入された液体で満たされるようになっているケース内部材と、を備える脳模型。